(57)【特許請求の範囲】
【請求項１】
送信メール処理手段と、受信メール処理手段と、コードデータで記述可能なグラフィックス記述言語を用いて記述した複数の画面構成要素が、相互に関連付けられることなく登録された画面構成要素セットが記憶される記憶手段を備えた移動通信端末装置間で授受される電子メールの処理を行うメール処理方法であって、
送信元の移動通信端末装置における送信メール処理手段が、前記送信元の移動通信端末装置における画面構成要素セットを利用しつつ、前記送信元の移動通信端末装置の利用者の指令に従って、前記グラフィックス記述言語を用いて記述された複数の画面構成要素を互いに関連付けた制御情報と、前記関連付けられた複数の画面構成要素とを有し、送信先の移動通信端末装置において画面表示されるメッセージを作成するメッセージ作成工程と；
前記送信元の移動通信端末装置における送信メール処理手段が、前記メッセージ作成工程において作成された前記メッセージを含む電子メールを、ネットワークを介して、前記送信先の移動通信端末装置へ送信する送信工程と；
前記電子メールを受信した前記送信先の移動通信端末装置における受信メール処理手段が、前記送信先の移動通信端末装置の利用者の指令に従って、前記メッセージにおける画面構成要素から選択された画面構成要素を、前記送信先の移動通信端末装置における画面構成要素セットに、他の画面構成要素との関連付けをすることなく登録する登録工程と；を備え、
前記メッセージが有する画面構成要素として画像情報が含まれる場合には、前記画像情報に対して、背景画像であるか、又は、前記背景画像以外の画像であるかの区別を含む表示階層設定が、前記制御情報に含まれ、
前記画面構成要素セットは、予め定められた方式で区分されたジャンルごとに用意される、
ことを特徴とするメール処理方法。
【請求項２】
前記メッセージが有する画面構成要素には、テキスト情報が含まれる、ことを特徴とする請求項１に記載のメール処理方法。
【請求項３】
前記メッセージが有する画面構成要素の少なくとも１つは、時間の経過とともに表示内容が変化する、ことを特徴とする請求項１又は２に記載のメール処理方法。
【請求項４】
前記メールを受信したときに、前記送信先の移動通信端末装置の受信メール処理手段が、前記グラフィックス記述言語で記述された前記画面構成要素を、前記送信先の移動通信端末装置の表示手段に表示するメッセージ表示工程を更に備える、請求項１〜３のいずれか一項に記載のメール処理方法。
【請求項５】
予め定められた方式で区分されたジャンルごとに用意され、コードデータで記述可能なグラフィックス記述言語を用いて記述した複数の画面構成要素が、相互に関連付けられることなく登録された画面構成要素セットが記憶される記憶手段と；
操作指令を入力するための操作入力手段と；
前記画面構成要素セットを利用しつつ、前記操作入力手段を介して入力された利用者の指令に従って、前記グラフィックス記述言語を用いて記述された複数の画面構成要素を互いに関連付けた制御情報と、前記関連付けられた複数の画面構成要素とを有し、送信先の移動通信端末装置において画面表示されるメッセージを作成するメッセージ作成手段と；
前記メッセージ作成手段により作成された前記メッセージを含む電子メールを、ネットワークを介して、送信先の移動通信端末装置へ送信するメール送信手段と；
前記グラフィックス記述言語を用いて記述した画面構成要素を有するメッセージを含む電子メールを受信した場合に、前記操作入力手段を介して入力された利用者の指令に従って、前記受信したメッセージにおける画面構成要素から選択された画面構成要素を、前記画面構成要素セットに、他の画面構成要素との関連付けをすることなく登録する受信メール処理手段と；を備え、
前記受信したメッセージが有する画面構成要素として画像情報が含まれる場合には、前記画像情報に対して、背景画像であるか、又は、前記背景画像以外の画像であるかの区別を含む表示階層指定が、前記制御情報に含まれる、
ことを特徴とする移動通信端末装置。
【請求項６】
画面表示を行う表示手段を更に備え、
前記受信メール処理手段は、前記グラフィックス記述言語で記述された画面構成要素を含むメールを受信したときに、前記コードデータで記述された前記画面構成要素を、前記表示手段に表示させる、ことを特徴とする請求項５に記載の移動通信端末装置。
【発明の詳細な説明】
【技術分野】
【０００１】
本発明は、メール処理方法及び移動通信端末装置に係り、より詳しくは、マルチメディアメッセージサービスに対応するメール処理方法及び移動通信端末装置に関する。
【背景技術】
【０００２】
従来から、携帯電話装置を代表とする移動通信端末装置が広く普及している。こうした移動通信端末装置に関する技術は目覚しく進歩している。例えば、電子メール機能を有する携帯電話装置等は、当初はテキスト情報の伝達のみが可能であったが、現在では、写真等の画像情報も伝達可能なマルチメディアメッセージングサービス（Multimedia Messaging Service：ＭＭＳ）も利用可能となっている。
【０００３】
かかるＭＭＳを利用してテキスト情報及び画像情報を送信する場合には、現状においては、送信元の携帯電話等が、テキスト情報を収納したテキストファイル及び画像情報を収納した画像ファイルを送信する方法が採用されている（特許文献１等参照；以下、「従来例」という）。このようにテキストファイルと画像ファイルとの２種類のファイルを送信するのは、テキスト形式では、画像情報を表現することができず、かつ、画像形式では、テキスト形式（コード）による簡易なテキスト文字表現の利点が失われてしまうためである。
【０００４】
【特許文献１】特開２００５−１８２３２４号公報
【発明の開示】
【発明が解決しようとする課題】
【０００５】
上述した従来例の技術は、ＭＭＳの利用を簡易に実現する観点からは優れたものである。しかしながら、伝達しようとするマルチメディアメッセージとしては、例えば、背景画像上にテキスト文字が重ねられたものの上に前景画像が更に重ねられたもの等も考えられるが、こうした画面表示を行うためには、単にテキストファイルと画像ファイルとの２種類のファイルを用意するのみでは足りない。
【０００６】
したがって、従来例の技術では、作成者として表現できるマルチメディアメッセージの態様には限界があるといえる。このため、作成者の趣味感をより忠実に表現できるマルチメディアメッセージを、ＭＭＳを利用して伝達できる技術が求められている。
【０００７】
本発明は、上記の事情を鑑みてなされたものであり、作成者の趣味感を忠実に表現できるマルチメディアメッセージを含む電子メールの授受に貢献することができる新たなメール処理方法及び移動通信端末装置を提供することを目的とする。
【課題を解決するための手段】
【０００８】
本発明は、第１の観点からすると、送信メール処理手段と、受信メール処理手段と、コードデータで記述可能なグラフィックス記述言語を用いて記述した複数の画面構成要素が、相互に関連付けられることなく登録された画面構成要素セットが記憶される記憶手段を備えた移動通信端末装置間で授受される電子メールの処理を行うメール処理方法であって、送信元の移動通信端末装置における送信メール処理手段が、前記送信元の移動通信端末装置における画面構成要素セットを利用しつつ、前記送信元の移動通信端末装置の利用者の指令に従って、前記グラフィックス記述言語を用いて記述された複数の画面構成要素を互いに関連付けた制御情報と、前記関連付けられた複数の画面構成要素とを有し、送信先の移動通信端末装置において画面表示されるメッセージを作成するメッセージ作成工程と；前記送信元の移動通信端末装置における送信メール処理手段が、前記メッセージ作成工程において作成された前記メッセージを含む電子メールを、ネットワークを介して、前記送信先の移動通信端末装置へ送信する送信工程と；前記電子メールを受信した前記送信先の移動通信端末装置における受信メール処理手段が、前記送信先の移動通信端末装置の利用者の指令に従って、前記メッセージにおける画面構成要素から選択された画面構成要素を、前記送信先の移動通信端末装置における画面構成要素セットに、他の画面構成要素との関連付けをすることなく登録する登録工程と；を備え、前記メッセージが有する画面構成要素として画像情報が含まれる場合には、前記画像情報に対して、背景画像であるか、又は、前記背景画像以外の画像であるかの区別を含む表示階層設定が、前記制御情報に含まれ、前記画面構成要素セットは、予め定められた方式で区分されたジャンルごとに用意される、ことを特徴とするメール処理方法である。
【０００９】
このメール処理方法では、送信元の移動通信端末装置が送信先の移動通信端末装置へメッセージを送ろうとする際に、まず、メッセージ作成工程において、送信元の移動通信端末装置における送信メール処理手段が、送信元の移動通信端末装置における画面構成要素セットを利用しつつ、送信元の移動通信端末装置の利用者の指令に従って、コードデータで記述可能なグラフィックス記述言語を用いて記述された複数の画面構成要素を互いに関連付けた制御情報と、当該関連付けられた複数の画面構成要素とを有し、送信先の移動通信端末装置において画面表示されるメッセージを作成する。ここで、「グラフィックス記述言語」とは、テキスト文字及び画像という画面構成要素のそれぞれをコードデータにより、所定のグラフィック形式で記述可能な言語であり、例えば、Ｗ３Ｃ（World Wide Web Consortium）により勧告されている２次元ベクタ画像記述言語であるＳＶＧ（Scalable Vector Graphics）等が該当する。また、メッセージが有する画面構成要素として画像情報が含まれる場合には、当該画像情報に対して、背景画像であるか、又は、背景画像以外の画像であるかの区別を含む表示階層設定が、当該制御情報に含まれる。
このため、送信先の移動通信端末装置において作成されたメッセージにおいては、利用者（作成者）の趣味感に合わせて、背景画像、前景画像、テキスト文字等の画面構成要素の表示属性を、画面構成要素ごとに設定することができる。また、画面構成要素セットは、予め定められた方式で区分されたジャンルごとに用意されるようになっている。また、画面構成要素セットには、複数の画面構成要素が、相互に関連付けられることなく登録されている。
【００１０】
次に、送信工程において、送信元の移動通信端末装置における送信メール処理手段が、メッセージ作成工程において作成されたメッセージを含む電子メールを、ネットワークを介して、送信先の移動通信端末装置へ送信する。この結果、画面構成要素ごとに表示属性が設定されたメッセージが送信先の移動通信端末装置へ送られる。
そして、当該電子メールを受信した送信先の移動通信端末装置では、登録工程において、受信メール処理手段が、当該送信先の移動通信端末装置の利用者の指令に従って、当該電子メールに含まれるメッセージにおける画面構成要素から選択された画面構成要素を、送信先の移動通信端末装置における画面構成要素セットに、他の画面構成要素との関連付けをすることなく登録する。
【００１１】
したがって、本発明のメール処理方法によれば、作成者の趣味感を忠実に表現できるマルチメディアメッセージを電子メールとして授受することができる。
また、マルチメディアメッセージの作成に利用可能な画面構成要素セットが、ジャンル別に用意されているので、メッセージ作成が簡便となる。なお、画面構成要素セットは、送信元の移動通信端末装置に予めインストールされるようにしてもよいし、送信元の移動通信端末装置がネットワークを介して接続可能なサーバ装置内に用意しておくようにすることもできる。
【００１２】
本発明のメール処理方法では、前記メッセージが有する画面構成要素には、テキスト情報が含まれるようにすることができる。
【００１４】
また、本発明のメール処理方法では、前記メッセージが有する画面構成要素の少なくとも１つを、時間の経過とともに表示内容が変化するものとすることもできる。
【００１５】
また、本発明のメール処理方法では、前記メールを受信したときに、前記送信先の移動通信端末装置の受信メール処理手段が、前記グラフィックス記述言語で記述された前記画面構成要素を、前記送信先の移動通信端末装置の表示手段に表示するメッセージ表示工程を更に備えるようにすることができる。この場合には、メッセージ表示工程において、送信先の移動通信端末装置の受信メール処理手段が、送信元の移動通信端末装置から送られてきたメッセージ中の画面構成要素を表示手段に表示する。この結果、送信先の移動通信端末装置の利用者に対して、送信元の移動通信端末装置の利用者がその趣味感に基づいて作成したメッセージ内容が忠実に通知される。
【００１６】
本発明は、第２の観点からすると、予め定められた方式で区分されたジャンルごとに用意され、コードデータで記述可能なグラフィックス記述言語を用いて記述した複数の画面構成要素が、相互に関連付けられることなく登録された画面構成要素セットが記憶される記憶手段と；操作指令を入力するための操作入力手段と；前記画面構成要素セットを利用しつつ、前記操作入力手段を介して入力された利用者の指令に従って、前記グラフィックス記述言語を用いて記述された複数の画面構成要素を互いに関連付けた制御情報と、前記関連付けられた複数の画面構成要素とを有し、送信先の移動通信端末装置において画面表示されるメッセージを作成するメッセージ作成手段と；前記メッセージ作成手段により作成された前記メッセージを含む電子メールを、ネットワークを介して、送信先の移動通信端末装置へ送信するメール送信手段と；前記グラフィックス記述言語を用いて記述した画面構成要素を有するメッセージを含む電子メールを受信した場合に、前記操作入力手段を介して入力された利用者の指令に従って、前記受信したメッセージにおける画面構成要素から選択された画面構成要素を、前記画面構成要素セットに、他の画面構成要素との関連付けをすることなく登録する受信メール処理手段と；を備え、前記受信したメッセージが有する画面構成要素として画像情報が含まれる場合には、前記画像情報に対して、背景画像であるか、又は、前記背景画像以外の画像であるかの区別を含む表示階層指定が、前記制御情報に含まれる、ことを特徴とする移動通信端末装置である。
【００１７】
この移動通信端末装置では、送信先の移動通信端末装置へメッセージを送ろうとする際に、まず、操作入力手段を介して行われた利用者の指令に従って、メッセージ作成手段が、記憶手段内の画面構成要素セットを利用しつつ、コードデータで記述可能なグラフィックス記述言語を用いて記述された複数の画面構成要素を互いに関連付けた制御情報と、当該関連付けられた複数の画面構成要素とを有し、送信先の移動通信端末装置において画面表示されるメッセージを作成する。ここで、メッセージが有する画面構成要素として画像情報が含まれる場合には、当該画像情報に対して、背景画像であるか、又は、背景画像以外の画像であるかの区別を含む表示階層設定が、当該制御情報に含まれる。
次に、利用者の指令に従って、メール送信手段が、メッセージ作成手段により作成されたメッセージを含む電子メールを、ネットワークを介して、送信先の移動通信端末装置へ向けて送信する。また、グラフィックス記述言語を用いて記述した画面構成要素を有するメッセージを含む電子メールを受信した場合には、受信メール処理手段が、操作入力手段を介して入力された利用者の指令に従って、当該受信したメッセージにおける画面構成要素から選択された画面構成要素を、他の画面構成要素との関連付けをすることなく画面構成要素セットに登録する。
なお、「グラフィックス記述言語」の意義は、上述した本発明のメール処理方法の場合と同様であり、作成されたメッセージにおいては、利用者（作成者）の趣味感に合わせて、背景画像、前景画像、テキスト文字等の画面構成要素の表示属性を、画面構成要素ごとに設定することができるようになっている。また、画面構成要素セットは、予め定められた方式で区分されたジャンルごとに用意されるようになっている。
【００１８】
すなわち、本発明の移動通信端末装置では、上述した本発明のメール処理方法を使用したメール処理が行われる。したがって、本発明の移動通信端末装置によれば、利用者の趣味感を忠実に表現できるマルチメディアメッセージを含む電子メールを送受信することができるとともに、マルチメディアメッセージの作成が簡便となる。
【００２０】
また、本発明の移動通信端末装置では、画面表示を行う表示手段を更に備え、前記受信メール処理手段は、前記グラフィックス記述言語で記述された画面構成要素を含むメールを受信したときに、前記コードデータで記述された前記画面構成要素を、前記表示手段に表示させるようにすることができる。この場合には、利用者に対して、作成者がその趣味感に基づいて作成したメッセージが忠実に通知される。
【発明の効果】
【００２５】
以上説明したように、本発明のメール処理方法によれば、作成者の趣味感をより忠実に表現できるマルチメディアメッセージを含む電子メールを授受することができるという効果を奏する。
【００２６】
また、本発明の移動通信端末装置によれば、作成者の趣味感をより忠実に表現できるマルチメディアメッセージを含む電子メールを送信又は受信することができるという効果を奏する。
【発明を実施するための最良の形態】
【００２８】
以下、本発明の一実施形態を、図１〜図７を参照しつつ説明する。なお、これらの図においては、同一又は同等の要素には同一の符号を付し、重複する説明を省略する。
【００２９】
図１は、本発明の一実施形態に係るメール処理方法が使用可能な移動通信システム１００の概略的な構成図である。図１に示されるように、この移動通信システム１００は、（ａ）電子メールの送受信機能を有する移動通信端末装置である携帯電話装置１０，２０と、（ｂ）携帯電話装置１０，２０が無線通信を行う基地局５２，５３，…と、（ｃ）基地局５２，５３，…が接続され、不図示のメールサーバ等を含むネットワーク５０と、（ｄ）ネットワークに接続された画面構成要素サーバ３０とを備えている。なお、図１においては、携帯電話装置１０と基地局５２とが無線通信を行うとともに、携帯電話装置２０と基地局５３とが無線通信を行う場合の例が示されているが、携帯電話装置１０，２０が無線通信を行う基地局は、基地局５２，５３に限定されるものではない。
【００３０】
次に、携帯電話装置１０の構成を、図２（Ａ）、図２（Ｂ）及び図３を参照して説明する。ここで、図２（Ａ）は携帯電話装置１０の外観の正面図であり、図２（Ｂ）は携帯電話装置１０の外観の裏面図である。また、図３は、携帯電話装置１０のハードウエア的な機能ブロック図である。
【００３１】
図２（Ａ）及び図２（Ｂ）により総合的に示されるように、携帯電話装置１０は、（ａ）携帯電話装置本体１１と、（ｂ）電話番号，文字等を制御部２１へ入力するためのテンキー、及び、各種指令を制御部２１へ入力するためのファンクションキーを有する操作部１２と、（ｃ）制御部２１による指令に応じて操作案内、動作状況、受信メッセージ等を表示する表示部（ディスプレイ）１３とを備えている。また、携帯電話装置１０は、（ｄ）通話時に通信相手から送信された音声信号を再生する通話用スピーカ１４と、（ｅ）通話時に音声を入力するためのマイクロフォン１５と、（ｆ）制御部２１による指令に応じて着信音や案内音を発生するための案内用スピーカ１６とを備えている。
【００３２】
携帯電話装置本体１１は、図３に示されるように、（ｉ）携帯電話装置１０の各部の動作を制御する制御部２１と、（ii）無線信号用のアンテナ１７を有し無線信号を送受信する送受信部２２と、（iii）各種データを記憶する記憶部２３とを備えている。
【００３３】
記憶部２３に記憶されるデータには、後述するＳＶＧＭ（Scalable Vector Graphics for Messaging）メッセージを作成する際に利用可能な複数の装飾された画面構成要素を含む画面構成要素セット２６が含まれている。こうした画面構成要素は、ＳＶＧにより記述されている。
【００３４】
画面構成要素セット２６に含まれる画面構成要素としては、例えば、絵文字、顔文字、アイコン、イラスト、記号、シンボルマーク、企業又は団体のロゴ、商標、商号等がある。また、画面構成要素に施される装飾としては、同一系統の色に塗られる、あるいは、水玉模様が付されるといった所望のデザイン上のテイストに基づいて定められる。また、画面構成要素として、静止したもののみならず、動く文字列、動く絵文字、左右に移動する背景画像、アニメーション画像等を採用することもできる。
【００３５】
画面構成要素セット２６に含まれる画面構成要素は、携帯電話装置１０の工場出荷時に予め実装されることも可能であり、また、画面構成要素サーバ３０からのダウンロードにより入手することも可能である。さらに、利用者が表示部１３における表示を参照しつつ操作部１２を操作して、所望の画面構成要素を作成することもできる。
【００３６】
なお、画面構成要素セット２６の数は１つに限られるものではなく、複数であってもよい。例えば、絵文字、シンボルマーク等のジャンルごとに、あるいは、作成者又は提供者ごとに画面構成要素セットを用意することもできる。
【００３７】
制御部２１は、中央処理装置（Central Processing Unit：ＣＰＵ）、デジタル信号処理装置（Digital Signal Processor）等を備えて構成されている。この制御部２１において各種プログラムを実行することにより、上述した構成要素を制御して、携帯電話装置１０としての機能が実現される。こうして制御部２１において実行されるブログラムの１つとして、ＳＶＧＭメッセージを含むＳＶＧＭメールに関連する処理を行うＳＶＧＭメール処理プログラム７０がある。
【００３８】
ここで、ＳＶＧＭメッセージ６０（図４参照）について説明する。図４に示されるように、ＳＶＧＭメッセージ６０は、ＳＶＧＭファイル６１と、制御ファイル６２とを含んでいる。
【００３９】
ＳＶＧＭファイル６１は、２次元ベクタ画像記述言語であるＳＶＧで記述された画面構成要素６５ａ，６５ｂ，６５ｃ，６５ｄ，…を含んでいる。画面構成要素６５ａ，６５ｂ，６５ｃ，６５ｄ，…としては、例えば、絵文字、インライン画像、前景画像、背景画像等が挙げられる。ここで、インライン画像とは、文字列の途中に挿入される画像である。
【００４０】
なお、ＳＶＧは、ＸＭＬ（eXtensible Markup Language）をベースとした言語であって、２次元画像をベクタ方式で記述するためのグラフィックス記述言語の１つである。ＳＶＧは、画像を点の集合体ではなく、線や面等の図形の集合体として表現できる。
【００４１】
制御ファイル６２には、テキスト文字や画像の種類、表示部１３における表示位置、表示タイミング、表示時間を制御するための情報が含まれている。この制御ファイル６２と、上述したＳＶＧＭファイル内の画面構成要素６５ａ，…とによって、作成者が意図したＳＶＧＭメッセージの内容が記述される。なお、制御ファイル６２の内容は、例えば、ＳＭＩＬ（Synchronized Multimedia Integration Language）によって記述される。このＳＭＩＬは、ＸＭＬベースの言語であって、テキスト文字，絵文字，画像，動画，音，音楽等について、表示や再生を制御するための情報を記述するための言語である。
【００４２】
以上のように構成されるＳＶＧＭメッセージ６０の例が、図５に示されている。なお、図５には、ＳＶＧＭメッセージ６０の例が表示部１３に表示された場合が示されている。この例においては、図５に示されるように、文字列６９ａ，６９ｂと、絵文字６９ｃと、インライン画像又は前景画像であるラスタ画像６９ｄと、背景画像であるラスタ画像６９ｅとが含まれている。ここで、文字列６９ａ，６９ｂは、テキストデータによって一文字づつ記述されたものである。
【００４３】
なお、以下の説明においては、送信すべきＳＶＧＭメッセージと受信したＳＶＧＭメッセージとを区別する必要がある場合には、送信すべきＳＶＧＭメッセージをＳＶＧＭメッセージ６０Ｏと記し、受信したＳＶＧＭメッセージをＳＶＧＭメッセージ６０Ｉと記すものとする。また、ＳＶＧＭメッセージ６０Ｏに含まれるＳＶＧＭファイル及び制御ファイルを、ＳＶＧＭファイル６１Ｏ及び制御ファイル６２Ｏと記すものとする。さらに、ＳＶＧＭメッセージ６０Ｉに含まれるＳＶＧＭファイル及び制御ファイルを、ＳＶＧＭファイル６１Ｉ及び制御ファイル６２Ｉと記すものとする。
【００４４】
ＳＶＧＭメール処理プログラム７０は、図３に示されるように、送信ＳＶＧＭメール処理部７１と、受信ＳＶＧＭメール処理部７２とを備えている。
【００４５】
送信ＳＶＧＭメール処理部７１は、利用者による操作部１２からの指令入力に従って、適宜記憶部２３内の画面構成要素セット２６を参照しつつ、ＳＶＧＭファイル６１Ｏ及び制御ファイル６２Ｏを作成することにより、ＳＶＧＭメッセージ６０Ｏを作成する。そして、送信ＳＶＧＭメール処理部７１は、利用者による操作部１２からの指令入力に従って、ＳＶＧＭメッセージ６０Ｏを含むＳＶＧＭメールを送信先の移動通信端末装置へ向けて送信する。
【００４６】
受信ＳＶＧＭメール処理部７２は、ＳＶＧＭメールを受信すると、記憶部２３内の所定の領域に格納する。そして、受信ＳＶＧＭメール処理部７２は、利用者による操作部１２からの指令入力に従って、受信したＳＶＧＭメールに含まれるＳＶＧＭメッセージ６０Ｉの内容を表示部１３へ表示する等する。
【００４７】
図１に戻り、携帯電話装置２０は、上記の携帯電話装置１０と同様に構成されている。
【００４８】
画面構成要素サーバ３０は、図６に示されるように、（ａ）画面構成要素サーバ３０の全体を制御する制御部３１と、（ｂ）制御部３１による制御のもとで、ネットワーク５０を介した通信を行うための送受信部３２と、（ｃ）様々なデータを記憶し、制御部２１がアクセス可能な固定ディスク装置等の記憶部３３とを備えている。ここで、記憶部３３には、多数の画面構成要素を含む画面構成要素セット３６が記憶されている。画面構成要素セット３６内の画面構成要素のそれぞれは、上述した画面構成要素６５ａ，…と同様に、その内容がＳＶＧにより記述されている。
【００４９】
制御部３１は、中央処理装置（ＣＰＵ）等を備えて構成されている。この制御部２１において各種プログラムを実行することにより、上述した構成要素を制御して、画面構成要素サーバ３０としての機能が実現される。こうした画面構成要素サーバ３０としての機能としては、携帯電話装置１０，２０からの要求に応答して、画面構成要素セット３６内の画面構成要素をダウンロードする機能等がある。
【００５０】
次に、上記のようにして構成された移動通信システム１００におけるＳＶＧＭメ−ルの送受信処理について、説明する。なお、携帯電話装置１０で作成されたＳＶＧＭメ−ルが、携帯電話装置２０へ向けて送信される場合を例にとって、以下の説明を行う。
【００５１】
携帯電話装置１０の利用者が携帯電話装置２０へ向けてＳＶＧＭメ−ルを送信する場合には、図７に示されるように、まず、ステップＳ１１において、携帯電話装置１０の送信ＳＶＧＭメール処理部７１が、ＳＶＧＭメッセージを作成する。このステップＳ１１においては、送信ＳＶＧＭメール処理部７１が、適宜記憶部２３内の画面構成要素セット２６を参照しつつ、ＳＶＧＭファイル６１及び制御ファイル６２を作成することにより、ＳＶＧＭメッセージ６０を作成する。
【００５２】
ＳＶＧＭファイル６１の作成に際して、送信ＳＶＧＭメール処理部７１は、まず、移動通信システム１００の利用者が携帯電話装置２０へ向けて伝達するＳＶＧＭメッセージに含めることを指定した画面構成要素の種類を判別する。この判別の結果、利用者により指定された画面構成要素がテキスト文字であった場合には、送信ＳＶＧＭメール処理部７１は、適宜改行の挿入処理を行いつつ、利用者から指定された単位ごとに利用者の趣味感に基づいて指定された書体、表示色等の装飾を施すことにより、テキスト文字の画面構成要素を作成する。そして、送信ＳＶＧＭメール処理部７１は、作成された画面構成要素をＳＶＧＭファイル６１内に格納する。また、利用者により指定された画面構成要素が画面構成要素セット２６内のものであった場合には、送信ＳＶＧＭメール処理部７１は、その画面構成要素をＳＶＧＭファイル６１内に格納する。なお、画面構成要素の作成に際しては、背景色の指定等もなされる。
【００５３】
こうした画面構成要素の作成及びＳＶＧＭファイル６１内への格納により、伝達しようとするＳＶＧＭメッセージ６０に対応するＳＶＧＭファイル６１が作成される。
【００５４】
また、送信ＳＶＧＭメール処理部７１は、利用者による操作部１２からの指令入力に従って、制御ファイル６２を作成する。制御ファイル６２の作成に際して、送信ＳＶＧＭメール処理部７１は、作成されたＳＶＧＭファイル６１内の画面構成要素が適切に画面表示されるように制御ファイル６２を作成する。
【００５５】
以上のようにしてＳＶＧＭメッセージ６０が作成されると、ステップＳ１２において、携帯電話装置１０の送信ＳＶＧＭメール処理部７１が、ＳＶＧＭメッセージ６０を含むＳＶＧＭメールを送信する。このＳＶＧＭメールの送信に際しては、送信ＳＶＧＭメール処理部７１が、利用者から指定された送信先（携帯電話装置２０）や標題等をＳＶＧＭメッセージ６０に付加したＳＶＧＭメールを作成する。そして、利用者から送信指令がなされると、送信ＳＶＧＭメール処理部７１が、携帯電話装置２０へ向けて、ＳＶＧＭメールを送信する。
【００５６】
こうして携帯電話装置１０から送信されたＳＶＧＭメールは、ステップＳ１３において、携帯電話装置２０により受信される。こうして、ＳＶＧＭメールが受信されると、携帯電話装置２０では、メールを受信した旨が、携帯電話装置２０の利用者へ通知される。この通知を受けた利用者による受信メッセージ表示指令を受けて、ステップＳ１４のメッセージ表示処理が行われる。
【００５７】
ステップＳ１４のメッセージ表示処理においては、携帯電話装置２０の受信ＳＶＧＭメール処理部７２が、まず、受信したメッセージがＳＶＧＭメッセージ６０であるか否かを判定する。この判定の結果が否定的であった場合には、受信ＳＶＧＭメール処理部７２は、他の形式のメッセージ処理を行うためのプログラムモジュールに、メッセージ表示処理を委託する。以下、受信したメッセージがＳＶＧＭメッセージ６０であるか否かの判定の結果が肯定的であったものとして、説明する。
【００５８】
受信メッセージがＳＶＧＭメッセージ６０であった場合には、受信ＳＶＧＭメール処理部７２は、制御ファイル６２の内容を解読し、制御ファイル６２により指定された表示態様で、ＳＶＧＭファイル６１に含まれる画面構成要素の表示を行う。具体的には、受信ＳＶＧＭメール処理部７２は、（ｉ）インライン画像の画面構成要素を、文字列中の指定位置に挿入する、（ii）表示倍率を調整して各画面構成要素を拡大又は縮小する等を行う等して、ＳＶＧＭファイル６１に含まれる画面構成要素の表示を行う。
【００５９】
ここで、受信ＳＶＧＭメール処理部７２は、携帯電話装置２０の利用者の指令に応じて又は自動的に受信したＳＶＧＭメッセージ６０内の画面構成要素を、テンプレートとして保存する処理を行うようにすることもできる。
【００６０】
なお、携帯電話装置２０から携帯電話装置１０へのＳＶＧＭメッセージの伝達も、上記と同様にして行われる。
【００６１】
以上説明したように、本実施形態では、送信先の携帯電話装置へメッセージを送ろうとする際に、まず、利用者の指令に従って、メッセージ作成手段としても機能する送信ＳＶＧＭメール処理部７１が、送信先の携帯電話装置に表示させようとする画面構成要素のそれぞれをコードデータで記述可能なグラフィックス記述言語であるＳＶＧを用いて記述したＳＶＧＭメッセージを作成する。次に、利用者の指令に従って、メール送信手段としても機能する送信ＳＶＧＭメール処理部７１が、作成されたＳＶＧＭメッセージを含むＳＶＧＭメールを、ネットワークを介して、送信先の携帯電話装置へ向けて送信する。そして、メッセージ表示制御手段として機能する受信ＳＶＧＭメール処理部７２が受信したＳＶＧＭメールに含まれるＳＶＧＭメッセージを表示部１３に表示する。したがって、本実施形態によれば、送信元の利用者の趣味感を忠実に表現できるマルチメディアメッセージを送信先の利用者に伝達することができる。
【００６２】
また、本実施形態では、ＳＶＧＭメッセージにおける画面構成要素として、静止したテキスト若しくは画像、又は動く文字又は画像を採用することができる。このため、利用者の趣味感を忠実に表現できるマルチメディアメッセージを電子メールとして授受することができる。
【００６３】
また、本実施形態では、ＳＶＧＭメッセージの作成に際して画面構成要素の少なくとも１つが、予め用意された画面構成要素セット２６の中から選択されるようにすることができる。このため、ＳＶＧＭメッセージの作成を容易にすることができる。
【００６４】
なお、上記の実施形態では、画面構成要素を記述するグラフィックス記述言語にＳＶＧを採用したが、ＰｏｓｔＳｃｒｉｐｔ、ＶＲＭＬ（Virtual Reality Modeling Language）、Ｘ３Ｄ（eXtensible 3D）等を、ＳＶＧに代えて用いることもできる。
【００６５】
また、上記の実施形態では、本発明を携帯電話装置におけるメール処理に適用したが、電子メール授受機能を有するたの移動通信端末装置にも本発明を適用できることは、勿論である。
【００６６】
また、上記の実施形態では、携帯電話装置間におけるＳＶＧＭメールの授受について説明したが、送信側又は受信側の一方を他の種類の移動通信端末装置又はパーソナルコンピュータ等の通信端末装置とすることもできる。
【００６７】
また、上記の実施形態では、送信側の携帯電話装置においてＳＶＧＭメッセージを作成するようにした。これに対して、パーソナルコンピュータ等の送信側の携帯電話装置とは異なる情報処理装置においてＳＶＧＭメッセージを作成し、そのＳＶＧＭメッセージを、記憶媒体、又は、有線若しくは無線のデータ伝送経路等を利用して、送信側の携帯電話装置に供給するようにすることもできる。
【産業上の利用可能性】
【００６８】
以上説明したように、本発明のメール処理方法及び移動通信端末装置は、マルチメディアメッセージを含む電子メールの処理に適用することができる。
【図面の簡単な説明】
【００６９】
【図１】本発明のメール処理方法が使用される移動通信システムの概略的な構成図である。
【図２】図１の携帯電話装置の外観を概略的に示す図である。
【図３】図２の携帯電話装置の機能ブロック図である。
【図４】ＳＶＧＭメッセージの構成を説明するための図である。
【図５】ＳＶＧＭメッセージの表示例を説明するための図である。
【図６】画面構成要素サーバの構成を説明するためのブロック図である。
【図７】図１の移動通信システムにおけるＳＶＧＭメール処理を説明するためのシーケンス図である。
【符号の説明】
【００７０】
１０，２０…携帯電話装置（移動通信端末装置）、１１…携帯電話装置本体、１２…操作部、１３…表示部、１４…通話用スピーカ、１５…マイクロフォン、１６…案内用スピーカ、１７…アンテナ、２１…制御部、２２…送受信部、２３…記憶部、２６…画面構成要素セット、３０…画面構成要素サーバ、３１…制御部、３２…送受信部、３３…記憶部、３６…画面構成要素セット、６０…ＳＶＧＭメッセージ、６１…ＳＶＧＭファイル、６２…制御ファイル、６５ａ，６５ｂ，６５ｃ，６５ｄ…画面構成要素、７０…ＳＶＧＭメ−ル処理プログラム、７１…送信ＳＶＧＭメール処理部（メッセージ作成手段、メール送信手段）、７２…受信ＳＶＧＭメール処理部（メッセージ表示制御手段）、１００…移動通信システム。
【図１】
0004848179.tif 000002
【図２】
0004848179.tif 000003
【図３】
0004848179.tif 000004
【図４】
0004848179.tif 000005
【図５】
0004848179.tif 000006
【図６】
0004848179.tif 000007
【図７】
0004848179.tif 000008